(57)【要約】      （修正有）【解決手段】疾病の生血液の検査装置に係わる暗視野顕微鏡装置治療システム１０２と低周波電流発生装置治療システム１において、前記暗視野顕微鏡装置１０２には、生血液を透視、観察して、疾病の判断治療が迅速にできる手段として前記顕微鏡本体に強力光線として、ハロゲンランプとモニターを設けグラスファイバーで集光して、生血液検体に照射する構成とした。照射により血球の形や数、コンディションや血漿の結晶状の状況等がモニター１０３により判断できる。【効果】本発明の血液検査用顕微鏡治療システムと一体化の低周波電流発生治療システムは、前記両システムを一体化構成の暗視野顕微鏡本体に検体（生血液）に照射する、強力光のハロゲンランプを具備せしめることにより、生血液の即検査ができ、迅速な疾病の判断治療ができる。治療後の生血液検査により治療結果を把握できる。【選択図】図１
2007014735.tif 000002
【特許請求の範囲】
【請求項１】
顕微鏡による生血液の検査装置治療システムと低周波電流発生装置治療システムにおいて、前記生血液の検査する暗視野顕微鏡装置治療システム（１０２）の暗視野顕微鏡本体（１１３）に照射光手段（１０５）を具備せしめ、該システムの本体と接続するモニター（１０３）の画像により、疾病の生血液の診療判断ができ該判断後に前記システムと一体化する低周波電流発生装置治療システム（１），（１Ａ，１Ｂ，１Ｃ，１Ｄ，１Ｅ，）の低周波電流発生装置（８），（８０），（８１），（８２），（８３）の特定周波数（１〜１０，０００Ｈｚの間で６９種類）を利用して、選択された周波数の低電流により、疾病の治療する構成を特徴とした顕微鏡による生血液検査装置治療システムと一体化の低周波電流発生装置治療システム。
【請求項２】
暗視野顕微鏡装置治療システム（１０２）において、前記暗視野顕微鏡本体（１１３）の鏡基部体（１０４）には、ハロゲンランプ（１０５）とステージ部体（１０６）と対物レンズ部（１０７）を設け視度調整環部（１０８）と接眼レンズ部（１０９）とデジタルカメラアダプター部（１１０）にデジタルカメラ（１１１）を設け接続コード（１１２）でモニター（１０３）が接続され、モニターの画像により前記生血液の検査診療ができること構成とした請求項１記載の顕微鏡による生血液検査装置治療システムと一体化の低周波電流発生装置治療システム。
【請求項３】
前記生血液検査装置治療システムと一体化する低周波電流発生装置治療システム（１），（１Ａ，１Ｂ，１Ｃ，１Ｄ，１Ｅ，）の装置システムからなる低周波電流を発生する低周波電流発生装置（８）を具備し、低周波の電流を発振器（９）と、この発振器から出力される電流が印加される治療電極（１０）及び不関電極（１１）との低周波電流印加装置のみから構成され、前記治療発振周波数の低周波、低電流が発生する発振器（９），（８４）は発振周波数を１４〜１０００１Ｈｚの間の範囲で予め設定された複数の周波数から選択して、低周波側から設定時間毎に、順次高く変更する周波数制御装置（１２）が設けられ、この周波数制御装置からの制御信号にもとづく、所定周波数の電流を発振させる発振コイル部（１３）が設けられている。前記疾病の種類毎に周波数制御装置（１２）は周波数の情報を記憶するメモリー部（１４）と該メモリー入力の疾病情報から読み出した周波数情報により発振コイル部（１３）の発振周波数を変更させる選択信号出力部（１５）と手操作入力部（１６）とを有した構成とされ、前記発振コイル部（１３）は高周波発振器（１７）とこの高周波発振器から発振する高周波電流の周波数を分周する周波数変換部（１８）とを設け、高周波発振器（１６）から発振された高周波電流を選択信号出力部（１９）からの指令信号にもとづいて周波数の一つに変換するよう構成したことを特徴とする請求項１記載の顕微鏡による生血液検査装置治療システムと一体化の低周波電流発生装置治療システム。
【請求項４】
前記生血液検査装置治療システムと一体化の低周波電流発生装置治療システム（１Ｂ）は低周波電流発生装置（８０）の低周波の電流を発生させる発振器（９）と、この発振器から出力される電流が印加されるべき複数の発振コイル（５１），（５２）とをもって構成されたことを特徴とする請求項１記載の顕微鏡による生血液検査装置治療システムと一体化の低周波電流発生装置治療システム。
【請求項５】
前記生血液検査装置治療システムと一体化の低周波電流発生装置治療システム（１Ｃ）は、低周波電流発生装置（８１）の低周波の電流を発生させる発振器（９）と、この発振器から出力される電流によって、出力電流を同一の周波数の発振器（９）音波を発生する音波発振器（５４）を設け構成することを特徴とした請求項１記載の顕微鏡による生血液検査装置治療システムと一体化の低周波電流発生装置治療システム。
【請求項６】
前記生血液検査装置治療システムと一体化の低周波電流発生装置治療システム（１Ｄ）は、低周波電流発生装置（８２）と発振器（９）と治療電極（１０）、不関電極（１１）と発振コイル（５１）、（５１Ａ）と音波発振器（５４）を設け構成されたことを特徴とする請求項１記載の顕微鏡による生血液検査装置治療システムと一体化の低周波電流発生装置治療システム。
【請求項７】
前記生血液検査装置治療システムと一体化の低周波電流発生装置治療システム（１Ｅ）の低周波電流発生装置（８３）は通信回線を介して制御するようにしたものであり、前記低周波電流発生装置（８），（８０），（８１），（８２），における周波数制御装置（８４）として、発振器（８８）から離れた位置に設けられたコンピューターと制御装置（８４）から通信回線（８６）を介して発振周波数発振時間を制御できる構成とされ、該制御装置（８４）はコンピューターとメモリー部（８４Ａ）と選択信号出力部（８４Ｂ）と手操作入力部（８４Ｃ）が構成されている。発振器（８８）は高周波発振器（８８Ａ）と周波数変換部（８８Ｂ）が設けられ、その制御信号１／０インタフェース（９０Ｂ）を介して通信回線（８６）から入力と前記制御装置（８４）と通信回線（８６）も１／０インタフェース（９０Ａ）を介し接続される構成を特徴とする請求項１記載の顕微鏡による生血液検査装置治療システムと一体化の低周波電流発生装置治療システム。
【発明の詳細な説明】
【技術分野】
【０００１】  本発明は、顕微鏡による生血液検査装置治療システムと一体化の低周波電流発生装置治療システムにより、疾病を効果的な治療システムの改良に関する。さらに本発明システムは、あらゆる動物の疾病の治療および生長促進と、植物の疾病の治療、生育向上にも応用できる。
［背景技術］【０００２】  従来の疾病治療に使用している医用低周波治療方法及び治療装置としては、つぎの公知技術のものがある。【０００３】  例えば、物理療法機器の一種としては、低周波電気治療機器は、皮膚の表面に電極を装着して、低周波電流を人体に通じての医用低周波治療器である。【０００４】  前記のような従来の低周波治療器は、治療部位に当てる電極と不関電極との間に発振器からの低電圧低電流を印加するものであった。【０００５】  この医用低周波治療器は、発振器が５Ｈｚ以下、５〜５０Ｈｚ、５０〜５００Ｈｚ  及び５００〜１，０００Ｈｚの４種類の周波数帯においても１つ以上の周波数が発生できるように指定されている。【０００６】  このような低周波治療器は、電流刺激により、麻痺筋の癈用性萎縮を予防したり、鎮痛、血行改善のために用いられている。【０００７】  又小型の低周波治療器は、肩こりをほぐしたりする目的で用いられている。【０００８】  上記のような従来の低周波治療器においては、筋肉を刺激したり、鎮痛、血行改善等のために用いられている。【０００９】  前記従来技術の改良型として、つぎの公知技術で同一出願人のものが開示されている。    特願平８−１３７９５０号    特願平９−１９４４３０号、    米国特許６２１２４３２号が先願のものである。【００１０】  前記従来技術の改良型は疾病治療を目的とした装置及び方法のシステムのものである。この前記システムのものは、低周波電流、電磁波、音波の一つの波動を利用して、疾病を効果的に治療方法及び装置のものである。【００１１】  上記従来の改良型のシステムは、皮膚から低周波電流を人体に通じて治療するもので、低周波電流の周波数を１〜１０，０００Ｈｚの間の少くとも一部の範囲で、一定時間毎に順次高くして治療するシステムである。【００１２】  この従来技術は、人体に通電したとき、疾病の種類によって最低周波数が異なるものの、正常細胞と比較して、故障のある細胞は、低周波電流を通し易いことを見出した。即ち、低周波電流は故障ある部分を選んで人体を通る。【００１３】  従って前記改良の従来技術は低い周波数から順次高くしていけば、最も悪い部分が通電され、順次治癒される。【００１４】  この従来技術システムは、細胞膜が硬化して細胞内液と外液の交換ができなかった細胞、又は硬化により神経電流を伝達することができなかったり、僅かにしか伝達できないような神経細胞を、微弱電流によって、低周波側から順次周波数を高くして刺激すると、硬化がほぐれ、細胞の活性が取り戻される結果、疾病が治癒される。【００１５】  この技術システムは、特定周波数の電流によりビールス、細菌を殺滅できるとしている。更に特定周波数（例えば１〜１０，０００Ｈｚの間では６９種類の周波数）の電流が特に治療効果を有しているとしている。【００１６】  前記従来の医用低周波治療システムにおいて、公知の顕微鏡による血液検査で共生菌（疾病）を判知とこれに対応するベストの組合せの低周波電流治療発生装置と一体化のシステムが久しく要望されていた。
［発明の開示］
［発明が解決しようとする課題］【００１７】  以上述べた従来の血液検査用顕微鏡システムと低周波電流発生装置治療システムでは、各種病原菌やウィルスによる疾病に対応する機器とシステムの一体化がむづかしかった。【００１８】  従来技術と発生する疾病の種類数に応じた複数の発振周波電流の選択技術のむづかしさがあった。【００１９】  本発明はこのような従来の構成が有していた問題を解決しようとするものであり、疾病の判断は、血液検査顕微鏡がおおきいウェートをしめるものである。【００２０】  本発明は強力な発光照射手段を具備する顕微鏡で、各種疾病菌の発見や、低周波電流発生装置治療システムにより６９種類の安全な周波数のみを組み合わせたシステムでもって、ウィルスや病原菌を破壊し得る一体化システムを構成とした。【００２１】  一体化システムにより効果的に４００種類の疾病に対して対応できる治療システムを実現することを目的とするものである。
［課題を解決するための手段］【００２２】  そして、本発明は上記目的を達成するために、低周波電流発生装置治療システムと一体化して使用する生血液検査を強力な照射手段を具備した顕微鏡治療システムと接続するモニターの画像により、生血液を即座に検査ができ、治療後の生血液検査により治療結果を把握できる。【００２３】  その結果判断後に生体細胞に害を与えない６９種類の安全な周波数のみを組み合わせた、低周波電流発生装置治療システムと前記顕微鏡と一体化構成してなる本発明のシステムである。
［発明の効果］【００２４】  上述したように本発明の血液検査用顕微鏡治療システムと一体化の低周波電流発生治療システムは、前記両システムを一体化構成の暗視野顕微鏡本体に検体（生血液）に照射する、強力光のハロゲンランプを具備せしめることにより、生血液の即検査ができ、迅速な疾病の判断治療ができる。【００２５】  治療後の生血液検査により治療結果を把握できる。  低周波発生装置治療システムとの併用により、各種ワクチン、酵素、サプリメント等の効果を更に発揮させるものである。【００２６】  低周波発生装置治療システムとの併用により、抗ガン剤、温熱療法等、現行治療方法等の薬品類及び効果を向上させるものである。
［発明の実施するための最良の形態］【００２７】  以下、本発明の実施の形態を図１〜図７に基づいて説明する。図１は、本発明の実施形態を示す暗視野顕微鏡による生血液検査装置治療システムと一体化の低周波電流発生装置システム基本構成のブロック図である。【００２８】  図２は、本発明の実施形態を示す暗視野顕微鏡装置治療システムの基本構成図である。【００２９】  図３は、本発明の実施形態の構成に係る１例の低周波電流発生装置治療システムブロック図である。【００３０】  図４は、実施形態の２例に係る構成の低周波電流発生装置治療システムブロック図である。【００３１】  図５は、実施形態の３例に係る構成の低周波電流発生装置治療システムブロック図である。【００３２】  図６は、実施形態の４例に係る構成の低周波電流発生装置治療システムブロック図である。【００３３】  図７は、実施形態の５例に係る構成の低周波電流発生装置治療システムブロック図である。【００３４】  図１は、本発明の生血液を採取による疾病の検査システムの基本に係る暗視野顕微鏡と低周波電流発生装置を一体化した工程を示すブロック図である。【００３５】  前記図１に示す本発明の基本構成のシステムにおいて、まず第一に医師が生血液採取する工程（１１５）を終えた後、つぎに第二の生血液を暗視野顕微鏡本体（１１３）とモニター（１０３）により、疾病診断する。【００３６】  この暗視野顕微鏡（１１３）に設けたハロゲンランプ（１０５）の強力光線の照射をもって、疾病が判断され、治療が開始される。【００３７】  つぎに第三の治療工程は、低周波電流発生装置治療システム（１）（１Ａ，１Ｂ，１Ｃ１Ｄ，１Ｅ）の低周波電流発生装置（８）（８０）（８１）（８２）（８３）の特定周波数（１〜１０，０００Ｈｚの間で６９種類）を利用して選択された周波数の低電流により疾病治療するよう構成されている。【００３８】  つぎの最終治療工程は、前記治療後再び生血液が医師により採取される。そして前記暗視野顕微鏡（１１３）で治療結果が把握できるよう構成とした。【００３９】  本発明を一体化する構成システムの一つである  暗視野顕微鏡治療システム（１０２）の構成について以下に説明する。前記暗視野顕微鏡本体（１１３）には、検体の生血液の透写度をよくする強力光線をグラスファイバー等で集光する
照明部のハロゲンランプ（１０５）を設け生血液の検体を載せるステージ部（１０６）と対物レンズ部（１０７）と検体の視度を調整する視度調整部（１０８）と接眼レンズ部（１０９）が構成されている。【００４０】  前記接眼レンズ部はデジタルアダプタ部（１１０）を介してデジタルカメラ（１１１）と接続コード（１１２）でモニター（１０３）が構成されている。
上記した構成と作用によりモニターで医師が疾病の判断ができる構成とした。【００４１】  本発明の一体化する二つのシステム構成をする暗視野顕微鏡装置治療システムと低周波電流発生装置治療システムの関係構成について以下に説明する。【００４２】  図１は、両システムが一体化した基本構成のブロック図であって図２は、生血液（以下検体と称す）が疾病性有無の判断をする検査と治療を目的とした暗視野顕微鏡検査システムの構成図である。【００４３】  図３は、本発明の一体化構成の目的とする、低周波電流発生装置治療システムの基本構成ブロック図である。図４は、低周波電流発生装置治療システムの１例に係る構成ブロック図で、図５は、低周波電流発生装置治療システム２例に係る構成ブロック図で、図６は、低周波電流発生装置治療システムの３例に係る構成ブロック図で、図７は、低周波電流発生装置治療システムの４例に係る構成ブロック図である。【００４４】  以下、本発明の一体化システムに係る上記図１，２，３，４，５，６，７図において、その構成と作用を説明する。前記生血液（以下検体と称す）検査はハロゲンランプを具備せしめた暗視野顕微鏡装置により、検体の採血後に強烈な光線で照射することによって、検体を透視、観察により、疾病の判断が迅速に治療ができる。又治療後にあっても再び採血し治療結果を把握できる。【００４５】  前記図１，２，３，４，５，６，７図において生血液検査治療システムと一体化する低周波電流発生治療システム（１）の低周波発生装置１Ａ，１Ｂ，１Ｃ，１Ｄ，１Ｅの装置システムからなる、低周波電流を発生する低周波電流発生装置（８）（８１）（８２）（８３）を具備している。該装置に低周波の電流を発生させる発振器（９）（８４）を設ける。この発振器から出力される電流が印加の治療電極（１０）（５１）及び不関電極（１１）（５２）と低周波電流印加装置のみから構成されている。【００４６】  前記治療発振周波数の低周波電流を発生する発振器（９）（８４）は発振周波数を１４〜１０，００１Ｈｚの範囲で予め設定する構成とする。前記設定された複数の周波数から選択して、低周波側から設定時間毎に順次高く変更する周波数制御装置（１２）とを構成させる。【００４７】    この周波数制御装置からの制御信号にもとづいて、所定の周波数の電流を発振させる発振コイル部（１３）とを備え構成され、前記疾病種類毎に周波数制御装置（１２）は周波数の情報を記憶するメモリー部（１４）と該メモリー入力の疾病情報から読み出した周波数情報により、発振コイル部（１３）の発振周波数を変更させる選択信号出力部（１５）が設けられている。【００４８】  手操作入力部（１６）と前記発振コイル部（１３）は高周波発振器（１７）とこの高周波発振器から発振する高周波電流の周波数を分周する周波数変換部（１８）とを設ける。【００４９】  高周波発振器（１６）から発振された高周波電流を選択信号出力部（１９）からの指令にもとづいて周波数の一つに変換するよう構成としたことを特徴とする請求項１，２，３，４，５，６，７記載の顕微鏡による共生菌血液検査装置治療システムと一体化の低周波電流発生装置治療システム。
【図面の簡単な説明】
【００５０】〔図１〕本発明の実施形態を示す暗視野顕微鏡による生血液検査装置治療システムと一体化の低周波電流発生装置システム基本構成ブロック図である。
〔図２〕本発明の実施形態を示す暗視野顕微鏡装置治療システム基本構成図である。
〔図３〕本発明の実施形態の構成に係る１例の低周波電流発生装置治療システムブロック図である
〔図４〕本発明の実施形態の構成に係る２例の低周波電流発生装置治療システムブロック図である。
〔図５〕本発明の実施形態の構成に係る３例の低周波電流発生装置治療システムブロック図である。
〔図６〕本発明の実施形態の構成に係る４例の低周波電流発生装置治療システムブロック図である。
〔図７〕本発明の実施形態の構成に係る５例の低周波電流発生装置治療システムブロック図である。
【符号の説明】
【００５１】１    低周波電流発生装置治療システム
１Ａ，１Ｂ，１Ｃ，１Ｄ，１Ｅ  低周波電流発生装置システム
８    低周波電流発生装置                ９    発振器
１０  治療電極                          １１  不関電極
１２  周波数制御装置                    １３  発振コイル部
１４  メモリー部                        １５  選択信号出力部
１６  手操作入力部                      １７  高周波発振器
１８  周波数変換部                      １９  選択信号出力部
１０２  暗視野顕微鏡装置治療システム    １０３  モニター
１０４  鏡基部体                        １０５  ハロゲンランプ
１０６  ステージ部体                    １０７  対物レンズ部
１０８  視度調整部                      １０９  接眼レンズ部
１１０  デジタルカメラアダプター部      １１２  接続コード
【図１】
2007014735.tif 000003
【図２】
2007014735.tif 000004
【図３】
2007014735.tif 000005
【図４】
2007014735.tif 000006
【図５】
2007014735.tif 000007
【図６】
2007014735.tif 000008
【図７】
2007014735.tif 000009